(57)【要約】本発明は、空物品特にプラスチックびん及び金属缶を回収する装置に関し、投入される空物品を処理する装置を受入れるハウジング（１）、及び外部から接近可能で空物品をばら荷として受入れかつ投入方向（１９）に下方へ傾斜する底（８）を持つ投入シュートを持ち、装置への大きすぎる物体の投入を阻止するか又は困難にする手段が設けられている。本発明の課題は、最初にあげた種類の装置を使用可能にし、この装置により、投入シュート（３）への空物品のばら荷としての殆ど妨害のない投入が保証され、同時に装置へ大きすぎる物体が達するのを防止されるようにすることである。投入シュート（３）の底（８）が、投入方向（１９）に延びかつ横に並んで設けられる複数の溝（９）を持ち、これらの溝（９）が装置へ至る通過開口（１０）へそれぞれ通じ、溝（９）を通って投入方向（１９）に縦に向けられる空物品（１８）が強制なしに通過できるように、通過開口（１０）の断面が大きさを定められていることによって、この課題が解決される。【選択図】図２
2013544399.tif 000002
【特許請求の範囲】
【請求項１】
空物品特にプラスチックびん及び金属缶を回収する装置であって、投入される空物品を処理する装置を受入れるハウジング、及び外部から接近可能で空物品をばら荷として受入れかつ投入方向に下方へ傾斜する底を持つ投入シュートを持ち、装置への大きすぎる物体の投入を阻止するか又は困難にする手段が設けられているものにおいて、投入シュート（３）の底（８）が、投入方向（１９）に延びかつ横に並んで設けられる複数の溝（９）を持ち、これらの溝（９）が装置へ至る通過開口（１０）へそれぞれ通じ、溝（９）を通って投入方向（１９）に縦に向けられる空物品（１８）が強制なしに通過できるように、通過開口（１０）の断面が大きさを定められていることを特徴とする、装置。
【請求項２】
隣接する溝（９）が、稜（１１）を形成しながら直接互いに移行していることを特徴とする、請求項１に記載の装置。
【請求項３】
投入シュート（３）が、投入方向に見て前壁（５）、後壁（４）及び２つの側壁（６，７）を持ち、溝（９）が前壁（５）と後壁（４）との間に延び、その全長にそれぞれ１つの同じ断面を持っていることを特徴とする、請求項１又は２に記載の装置。
【請求項４】
溝（９）が半円形の断面を持ち、かつ後壁（４）に設けられて溝（９）と同じ半径を持つ円形の通過開口（１０）へそれぞれ通じていることを特徴とする、請求項３に記載の装置。
【発明の詳細な説明】
【技術分野】
【０００１】  本発明は、請求項１の上位概念に記載の空物品特にプラスチックびん及び金属缶を回収する装置に関する。
【背景技術】
【０００２】  このような装置は米国特許第４，５０５，３７０号明細書から公知である。この装置は特に金属缶の回収に役立つ。それは、投入される缶を更に処理しかつ場合によっては加工するのに役立つ装置を収容するハウジングを持っている。装置は更に外部から接近可能な投入シュートを持ち、この投入シュートが空物品をばら荷として受入れ、かつ投入方向に下方へ傾斜する底を持っている。大きすぎる物体の投入を阻止するか又は困難にするため、投入シュートの投入開口は、適当な網目を持つ格子により覆われている。格子は、互いに交差する棒により形成されている。この解決策の欠点は、ばら荷として投入される空物品が例えば締付けにより格子上に集まり、こうして投入シュートへの通過を妨げることがあるので、投入シュートへの通過を保証するか又は再び行うために、手動介入が必要なことである。
【発明の概要】
【発明が解決しようとする課題】
【０００３】  本発明の課題は、最初にあげた種類の装置を使用可能にし、この装置により、投入シュートへの空物品のばら荷としての投入が保証され、同時に装置へ大きすぎる物体が達するのを防止されるようにすることである。
【課題を解決するための手段】
【０００４】  本発明によれば、この課題は、請求項１の特徴を持つ空物品の回収装置によって解決される。【０００５】  本発明により投入シュートの底に設けられて投入方向に延びる溝、及び投入方向における底の傾斜のため、投入シュートの底に載る空物品は、自動的に通過開口へ向けられるので、通過開口を直ちに通過することができる。後を滑る空物品も同様に底上で整列する。場合によっては空物品の方向づけの際、手で僅かな程度だけ修正すればよい。【０００６】  本発明の有利な構成は従属請求項からかわる。【０００７】  本発明が実施例により以下に詳細に説明される。
【図面の簡単な説明】
【０００８】
【図１】  ハウジングの外側に付加される投入シュートを持つ空物品の回収装置のハウジング部分を示す。
【図２】  図１による投入シュートの斜視図を単独図で示す。
【発明を実施するための形態】
【０００９】  図１は、そのほかにはそれ以上示されてない空物品１８の回収装置の一部を示す。ハウジング１の垂直壁２には、外側から投入シュート３が取付けられている。この投入シュート３の取付け場所の範囲において、ハウジング１が切欠かれて、ハウジング１内に設けられる組込み部品をこの範囲で見えるようにしている
【００１０】  投入シュート３は、組込み状態に関して、後壁４、前壁５、２つの側壁６，７、及び投入方向１９（図１）従ってハウジング１の方へ約１５°下方へ傾斜する底８から成っている。
【００１１】  底８は植に並んで設けられる４つの溝９から形成され、これらの溝は前壁５と後壁４との間に延びかつ全長にそれぞれ同じ断面即ち半円の断面を持っている。溝９は後壁４にそれぞれ円形の通過開口１０を持ち、この開口の半径は溝９の半径に等しい。隣接する溝９は、稜１１を形成しながら直接互いに移行している。通過開口１０従って溝９の断面は、いずれにせよ最大直径を持つ返却すべき空物品１８も妨げられることなく通過できるように選ばれている。
【００１２】  投入シュート３は、その後壁４をハウジング１の垂直な壁２に、例えばねじ止めにより取付けられている。ハウジング壁２は、投入シュート３の取付け場所の範囲に窓を持っているので、通過開口１０を通ってハウジング１の内部へ自由な出入りが行われる。
【００１３】  ハウジング１の内部で、投入シュート３の底８に、同様に投入方向１９において下方へ傾斜する投入集合空間１３の底１２が続き、この投入集合空間１３は２つの側壁１４を持ち、投入方向１９へ開いている。投入集合空間１３のこの開いた側は急傾斜コンベア１５により閉じられ、従ってこのコンベア１５の上辺１６はいわば投入集合空間１３の後壁を形成している。急傾斜コンベア１５は、投入集合空間１３の幅全体にわたって延びるローラ状連行体１７を持っている。
【００１４】  返却すべき空物品１８例えばペットボトルは、例えばポケットから投入シュート３へのぶちあけにより、いわばばら荷として投入される。その際溝９の間に形成される稜１１は、稜として作用し、投入シュート３内にまず偶然に存在する空物品１８が投入方向１９へ縦に向けられ、従って溝９へ達し、重力の作用で通過開口１０を通って投入集合空間１３へ滑り込む。投入集合空間１３の底１２の傾斜のため、空物品１８は重力の作用で急傾斜コンベア１５の方へ転がるか又は滑る。急傾斜コンベア１５の連行体１７は投入集合空間１３を通過し、それにより空物品１８は連行体１７に載って連行される。連行体１７は、急傾斜コンベア１５の搬送方向に対して直角に、少なくとも２個の空物品１８が横に並んで連行体１７上に載ることができるような幅を持っている。急傾斜コンベア１５は、受入れた空物品１８を装置の別の処理場所へ搬送するが、この処理場所は本発明にとって重要ではなく、従って図示されていない。
【図１】
2013544399.tif 000003
【図２】
2013544399.tif 000004
【国際調査報告】
2013544399.tif 000005
2013544399.tif 000006
2013544399.tif 000007
2013544399.tif 000008
2013544399.tif 000009
2013544399.tif 000010